(57)【特許請求の範囲】
【請求項１】
容器体Ａの口頚部２に嵌合させる装着キャップＢと、装着キャップ上端から起立した縦筒３の中間部からシリンダ４を、その上部からは射出筒５をそれぞれ前方へ突出してなるポンプ本体Ｃと、射出筒前部位置から前方付勢状態で揺動可能に垂設したトリガーＤとを備え、トリガーの操作により内蔵ポンプ機構の作用で容器体内の液を吸い上げて射出筒先端部より噴出する如く構成したトリガー式液体噴出ポンプに於いて、シリンダ４前端部に回動可能に嵌合させた環状基部16の前面下部より、先端をトリガーＤ裏面に当接係止させた係止突起17を突設するとともに、環状基部の回動に伴い弾性変形する弾性板18を環状基部16の一側部より上方へ延設してその先端部をポンプ本体に係止させ、且つ、環状基部の他側部より外方へレバー19を突設してなる係止部材Ｅを設け、レバーの押圧により弾性板18の弾発力に抗して環状基部16を回動させた際に、係止突起17のトリガーＤとの当接係止が外れる如く構成したことを特徴とするトリガー式液体噴出ポンプ。
【請求項２】
上記弾性板18が、環状基部16前面一側部に端部を一体に固定して上方へ延びる蛇行板状をなし、上端部を上方のポンプ本体に嵌合係止させた弾性板18である請求項１記載のトリガー式液体噴出ポンプ。
【請求項３】
射出筒５前端部へ回動可能に液体噴出孔を有するノズルキャップＦを嵌合させ、これ等嵌合部に、射出筒に対するノズルキャップの回動で射出筒が有する射出筒孔と液体噴出孔とを連通させ、又遮断させることが自在な液体通路開閉機構を設けてなる請求項１記載のトリガー式液体噴出ポンプ。
【発明の詳細な説明】
【０００１】
【発明の属する技術分野】
本発明はトリガー式液体噴出ポンプに関する。
【０００２】
【従来の技術】
トリガー式液体噴出ポンプとして、例えば、容器体口頚部に嵌合させる装着キャップと、該キャップ上方に嵌着固定するとともに、装着キャップ上端から起立した縦筒の中間部からシリンダを、その上部からは射出筒をそれぞれ前方へ突出してなるポンプ本体と、射出筒先端に嵌着させたノズルキャップと、射出筒前部位置から揺動可能に垂設するとともに、上記シリンダ内に前方付勢状態で嵌合させたプランジャの先端部を押し込み可能に連結させたトリガーとを備え、該トリガーの操作により内蔵ポンプ機構の作用で容器体内の液を吸い上げてノズルキャップの噴出孔より噴出する如く構成したものが知られている（例えば、実開平６−３１８５４号）。
【０００３】
また、この種噴出ポンプでは、一般に、不用意なトリガーの操作による液の漏出、或いは商品陳列時に於ける悪戯の防止を図るために、上記ノズルキャップを回動可能に設けるとともに、該キャップ嵌合部分にキャップを回動させることにより液流路の連通が遮断され、元の状態に戻せば連通する開閉機構を設けている（例えば、実開昭６２−１８７６６５号）。
【０００４】
【発明が解決しようとする課題】
しかしながら、上記した開閉機構を設けたものにあっても、トリガーはプランジャを介して液圧により押し込み不能に係止されているため、液流路閉塞状態のままで度々トリガーを引き寄せた際にプランジャの若干の押し込みが可能となり、シリンダ内の異常な高圧化で吐出弁を通って、吐出弁下流の射出筒前方部分内に高圧液体が溜まることがある。このようになるとノズルキャップを液流路連通位置まで回した時、その射出筒前方部分内に溜まっていた高圧液体が、トリガー操作を行わなくてもノズル孔から噴出する不都合を生じたり、また、トリガーを強く引き寄せると、射出筒内の高圧化でノズルキャップが外れる虞もあった。
【０００５】
本発明は上記した点に鑑みなされたもので、不使用時に誤ったトリガー操作を確実に防止して上記した不都合を解消することができ、また、使用時には取り扱いが便利であり、その構造も簡単な優れたトリガー式液体噴出ポンプを提案するものである。
【０００６】
【課題を解決するための手段】
本請求項１発明のポンプは上記課題を解決するため、容器体Ａの口頚部２に嵌合させる装着キャップＢと、装着キャップ上端から起立した縦筒３の中間部からシリンダ４を、その上部からは射出筒５をそれぞれ前方へ突出してなるポンプ本体Ｃと、射出筒前部位置から前方付勢状態で揺動可能に垂設したトリガーＤとを備え、トリガーの操作により内蔵ポンプ機構の作用で容器体内の液を吸い上げて射出筒先端部より噴出する如く構成したトリガー式液体噴出ポンプに於いて、シリンダ４前端部に回動可能に嵌合させた環状基部16の前面下部より、先端をトリガーＤ裏面に当接係止させた係止突起17を突設するとともに、環状基部の回動に伴い弾性変形する弾性板18を環状基部16の一側部より上方へ延設してその先端部をポンプ本体に係止させ、且つ、環状基部の他側部より外方へレバー19を突設してなる係止部材Ｅを設け、レバーの押圧により弾性板18の弾発力に抗して環状基部16を回動させた際に、係止突起17のトリガーＤとの当接係止が外れる如く構成したことを特徴とするトリガー式液体噴出ポンプとして構成した。
【０００７】
また、請求項２発明のポンプは、上記弾性板18が、環状基部16前面一側部に端部を一体に固定して上方へ延びる蛇行板状をなし、上端部を上方のポンプ本体に嵌合係止させた弾性板18である請求項１記載のトリガー式液体噴出ポンプとして構成した。
【０００８】
また、請求項３発明のポンプは、射出筒５前端部へ回動可能に液体噴出孔を有するノズルキャップＦを嵌合させ、これ等嵌合部に、射出筒に対するノズルキャップの回動で射出筒が有する射出筒孔と液体噴出孔とを連通させ、又遮断させることが自在な液体通路開閉機構を設けてなる請求項１記載のトリガー式液体噴出ポンプとして構成した。
【０００９】
【発明の実施の形態】
以下、本発明の実施例の形態を図面を参照して説明する。
本発明のトリガー式液体噴出ポンプ１は、容器体Ａの口頚部２に嵌合させる装着キャップＢと、装着キャップ上端から起立した縦筒３の中間部からシリンダ４を、その上部からは射出筒５をそれぞれ前方へ突出してなるポンプ本体Ｃと、射出筒前部位置から前方付勢状態で揺動可能に垂設したトリガーＤとを備え、トリガーの操作により内蔵ポンプ機構の作用で容器体内の液を吸い上げて射出筒先端部より噴出する如く構成した公知のポンプ機構を備えたものである。
【００１０】
内蔵ポンプ機構の一例を図示例により説明すると、縦筒３の下端に上端を嵌着したパイプ６を容器体内へ垂下させ、また、縦筒内とシリンダ内及び縦筒内と射出筒内とをそれぞれ連通させるとともに、シリンダ上流の縦筒内に吸い込み弁７を、シリンダ下流の縦筒内に吐出弁８を、それぞれ設け、また、シリンダ内に前方付勢状態で嵌合させたプランジャ９の先端をトリガーＤ上部に連係させるという構成が挙げられる。但し、その機構はこれに限られず、従来のこの種のポンプに採用されている機構を採用できる。
【００１１】
また、図示例に於けるポンプ本体Ｃは、縦筒３及び射出筒及びシリンダ４の両側，上面，後面を被覆して一体に設けたカバー10を備えており、カバー10内面の前部上部に、トリガーを枢着させるための、軸受け11を突設している。
【００１２】
更に図示例に於けるトリガーＤは、縦長の前板12の両側より後方へそれぞれ側板13を延設した形態を採り、前板12の上部裏面からはプランジャ９の先端部に後端を当接させて連結する連結棒14を突設し、またその下方に、前板12及び両側板13に周縁を掛け渡し、補強を兼ねる横板15を横設している。また、各側板13上端部は、前板12の上端縁より上方へ突出させて、その上部両面より突設した回動軸を上記軸受け11に枢着させている。
【００１３】
本発明では、上記したこの種の噴出ポンプに於いて、不使用時にトリガーＤの不用意な引き込みを防止する目的で、シリンダ４先端部に係止部材Ｅを嵌着固定させている。
【００１４】
この係止部材Ｅは、環状基部16と、係止突起17と、弾性板18と、レバー19とを備えている。
【００１５】
環状基部16は、シリンダ４前端部に回動可能に嵌合させたもので、図示例では、外周縁をシリンダ外周と略同径とするドーナツ板状をなし、裏面周縁部より突設した嵌合筒20をシリンダ４内面先端部に回動可能に嵌合させ、中央窓孔周縁より後方へ延設した内筒21内にプランジャ９前部を突出させている。
【００１６】
係止突起17は、環状基部16の前面下部より前方へ突出して、その先端をトリガーＤ裏面に当接係止させるもので、その形状はトリガーの形状等により種々採用できるが、環状基部16の回動に伴い、トリガー後面への当接係止位置から係止解除位置への回動が可能に突設させる。
【００１７】
図示例の係止突起17は、環状基部16の前面下部左より部分より前方へ突設したもので、基部外周に沿った正面視円弧状をなす板状をなし、その先端面を上記横板15の後面に当接係止させている。
【００１８】
弾性板18は、環状基部の回動に伴い弾性変形するとともに、環状基部16の一側部より上方へ延設してその先端部をポンプ本体に係止させたもので、図示例では、環状基部16前面一側より上方へ延びる蛇行板状をなし、上端部を上記軸受け11下面に嵌合係止させる如く構成している。尚、弾性板はこの蛇行板状のものに限らず、例えば正面視Ｃ字状をなす板状等、環状基部の回動に伴い弾性変形する形状であれば採用できる。
【００１９】
レバー19は、環状基部16の側部より外方へ突設している。このレバー19の突出位置は通常の右利きの人が使用する場合が多いことを考慮すれば、正面向かって右側に突設すると良いが、これに限らず、左利きの人用に正面向かって左側に突設することも当然可能である。その場合、弾性板18の突設位置も反対側に変化させる。
【００２０】
そして、レバーの押圧により弾性板18の弾発力に抗して環状基部16を回動させた際に、係止突起17のトリガーＤとの当接係止が外れ、トリガーの引き込みが可能となる如く構成している。
【００２１】
また、本発明では、射出筒５前端部へ回動可能に液体噴出孔22を有するノズルキャップＦを嵌合させ、これら嵌合部に、射出筒に対するノズルキャップの回動で射出筒が有する射出筒孔と液体噴出孔とを連通させ、又遮断させることが自在な液体通路開閉機構を設けている。この開閉機構の具体的構造は、従来のこの種のポンプに使用されている公知の機構が採用出来る。
【００２２】
上記の如く構成したポンプ１は、不使用時には、図３に示す如く、係止突起17をトリガーＤに当接係止させておき、トリガーＤの引き込みが出来ない様にしておく、この際、ノズルキャップＦは射出筒孔と液体噴出孔とを遮断する位置にしておき、トリガーＤの引き込みを二重にロックさせる。また、使用時には、ノズルキャップＦを回動させて射出筒孔と液体噴出孔とを連通させた後、図４に示す如く、レバー19を押し下げて環状基部16を回動させ、それに伴って回動する係止突起17がトリガーＤから外れた状態となり、次いで、トリガーＤを手前に引くことで、装着した容器体内の液体を吸い上げて噴出孔22より噴出させる。また、使用後はレバー19の押圧を解除すれば、弾性板18により自動的に環状基部16が回動して係止突起17がトリガーＤ裏面に当接係止する。
尚、上記各部材は主として合成樹脂により形成し、必要に応じてエラストマー，金属等を併用して形成する。
【００２３】
【発明の効果】
以上説明した如く本発明ポンプは、シリンダ４前端部に回動可能に嵌合させた環状基部16の前面下部より、先端をトリガーＤ裏面に当接係止させた係止突起17を突設するとともに、環状基部の回動に伴い弾性変形する弾性板18を環状基部16の一側部より上方へ延設してその先端部をポンプ本体に係止させ、且つ、環状基部の他側部より外方へレバー19を突設してなる係止部材Ｅを設け、レバーの押圧により弾性板18の弾発力に抗して環状基部16を回動させた際に、係止突起17のトリガーＤとの当接係止が外れる如く構成したので、不使用時には、レバーを押圧しない限りトリガーの引き込みが行えず、誤ってトリガーを作動させる虞はなく、その結果、不用意な液の漏出、商品陳列時等に於ける悪戯の防止を図れるものである。
【００２４】
また、使用時には、片手でのレバーの押し下げ状態のままトリガー操作を行うことが可能であり、レバーを押圧して環状基部を回動させるという簡単な操作でトリガーの引き込みが可能となり、液の噴出が可能となり、また、使用後はレバーの押圧を解除すれば自動的にトリガーの引き込み不能状態となるため、取り扱い操作も極めて簡単である。
【００２５】
また、請求項２に記載のポンプでは、弾性板は限られた狭い幅で直線的に伸縮することができるため、スペースを取らず、狭いシリンダ前方の空間で他の部材の作動の邪魔をせずに円滑な液体噴出操作を行える利点を備えている。
【００２６】
また、請求項３に記載のポンプでは、トリガー部分のロックと二重ロックを行えるため、より確実に液の誤った噴出を防止できるものである。
【図面の簡単な説明】
【図１】本発明の一実施例を示す切欠き側面図である。
【図２】同実施例の係止部材を示す斜視図である。
【図３】同実施例の作用を説明する説明図である。
【図４】同実施例の作用を説明する説明図である。
【図５】同実施例の斜視図である。
【符号の説明】
Ａ…容器体，Ｂ…装着キャップ，Ｃ…ポンプ本体，Ｄ…トリガー，
Ｅ…係止部材，Ｆ…ノズルキャップ，２…口頚部，３…縦筒，
４…シリンダ，５…射出筒，16…環状基部，17…係止突起，18…弾性板，
19…レバー，22…液体噴出孔
【図１】
0003730019.tif 000002
【図２】
0003730019.tif 000003
【図３】
0003730019.tif 000004
【図４】
0003730019.tif 000005
【図５】
0003730019.tif 000006